(57)【特許請求の範囲】
【請求項１】
順に連通される多段の圧縮ユニットを備え、
各段ごとの前記圧縮ユニットは、
拡散チャンバ（１）と、
それに対応して設けられた前記拡散チャンバ（１）の流通面積を変更させるための、遠心式圧縮機の軸方向に移動可能に設けられる可動部材（２１）を含む拡散チャンバ調節装置と、を含み、
各段ごとの前記拡散チャンバ調節装置は、
前記可動部材（２１）に駆動連結される伝達ロッド（２２）と、
前記拡散チャンバ（１）の腔壁に固定連結されるガイド構造であって、前記伝達ロッド（２２）が前記ガイド構造に対して前記遠心式圧縮機の軸方向に移動可能に設けられるガイド構造と、をさらに含み、
各段ごとの前記拡散チャンバ調節装置は、自体における前記可動部材（２１）を、対応する前記拡散チャンバ（１）の流通面積が最大限になるように移動させるための復元機構（２５）、をさらに含み、
前記拡散チャンバ（１）は、第１腔壁と、前記第１腔壁と離間して設けられる第２腔壁とで囲まれてなり、前記ガイド構造は、前記伝達ロッド（２２）の外周に外挿されるブッシュ（２３）を含み、前記ブッシュ（２３）は、前記第１腔壁に開設された収容孔内に固定し、
前記ブッシュ（２３）の内周面上に収容溝が開設されており、前記ガイド構造は、前記収容溝内に設けられた前記伝達ロッド（２２）と滑合する支持ベルト（２６）をさらに含み、
給気口と、
駆動装置と、
それぞれ前記駆動装置に駆動連結される複数の伝動軸（４）であって、前記給気口に最も近い前記圧縮ユニットの前記伝動ロッド（２２）が前記伝動軸（４）に伝動連結され、残った各段の圧縮ユニットの前記伝動ロッド（２２）が、それぞれそれより上位段の前記圧縮ユニットの前記可動部材（２１）に伝動連結される複数の伝動軸（４）と、をさらに備える
ことを特徴とする遠心式圧縮機。
【請求項２】
前記復元機構（２５）は、
前記伝達ロッド（２２）の端部に連結されるバッフルプレート（２５１）と、
前記ブッシュ（２３）の外周に外挿されるバネ（２５２）であって、前記第１腔壁上の前記収容孔が前記ブッシュ（２３）とフィットする第１区分と、前記バネ（２５２）とフィットする第２区分とを有し、前記バネ（２５２）が、前記第１区分と前記第２区分とを接続する段差面と、前記バッフルプレート（２５１）との間に位置するバネ（２５２）と、を含む
ことを特徴とする請求項１に記載の遠心式圧縮機。
【請求項３】
前記可動部材（２１）は、前記遠心式圧縮機の軸線を中心とした円環を含み、前記第１腔壁上には、前記円環とフィットする凹溝が開設されており、前記収容孔は、前記凹溝の底部に設けられた前記伝達ロッド（２２）が通過するための開口を有する
ことを特徴とする請求項２に記載の遠心式圧縮機。
【請求項４】
前記ガイド構造は、前記伝達ロッド（２２）と同軸に設けられた少なくとも１つのガイドリング（２４）を含む
ことを特徴とする請求項１に記載の遠心式圧縮機。
【請求項５】
前記給気口に設けられる複数の入口案内翼（３）をさらに備え、
前記駆動装置は、前記複数の入口案内翼（３）に駆動連結され、
前記複数の伝動軸（４）は、前記複数の入口案内翼（３）の１つごとに個別に駆動連結される
ことを特徴とする請求項２乃至４のうちいずれか一項に記載の遠心式圧縮機。
【請求項６】
１つの前記伝動軸（４）に外挿されながら、１つの前記伝動ロッド（２２）に対応して設けられる少なくとも１つの駆動輪（５）、をさらに備える
ことを特徴とする請求項５に記載の遠心式圧縮機。
【請求項７】
前記駆動輪（５）は、カム又は偏心軸受であり、前記駆動輪（５）に対応する前記伝動ロッド（２２）の第１端は、前記駆動輪（５）の外周面に当接し、前記駆動輪（５）に対応する前記伝動ロッド（２２）の第２端は前記可動部材（２１）に連結される
ことを特徴とする請求項６に記載の遠心式圧縮機。
【請求項８】
請求項１乃至７のうちいずれか一項に記載の遠心式圧縮機を備えることを特徴とする遠心機ユニット。
【発明の詳細な説明】
【技術分野】
【０００１】
本発明は冷房設備分野に関し、より具体的には、遠心式圧縮機及びそれを備えた遠心機ユニットに関する。
【背景技術】
【０００２】
遠心機ユニットは、運転負荷が低下する場合、遠心式圧縮機の入口案内翼が次第に閉じられ、給気量が少なくなり、仮に拡散チャンバの通路面積が変わらないとすれば、気体の流速が低下するようになり、気体の流速が拡散チャンバにおける摩擦損失を相殺できない場合、気流が停滞してしまい、気体運動エネルギーが低下するため、変換された圧力エネルギーも低下し、気体圧力が排気圧力よりも小さい場合、気流が逆流し、サージになってしまう。単段遠心式圧縮機の場合、遠心式圧縮機におけるサージの発生を防止するために、常に拡散チャンバ調節装置を介して調節機構と連動して、インペラー出口に作用するようにし、運転負荷が低下する場合、拡散チャンバの通路面積を小さくすることで気体流速を高めることができ、これにより、遠心式圧縮機におけるサージの発生を効果的に防止することができる。一方、多段遠心式圧縮機の場合、エネルギー効率を高めるために、一般的には、各段間に節約装置が存在し、このため、空気補給口があり、例えば、やはり単独の可動拡散チャンバ調節装置を使用したら、遠心式圧縮機にサージが発生すると、単段のみのインペラー出口における拡散チャンバが調節機能を有し、他段が該機能を有しないため、サージ現象は調節機能を有する一段にてしか改良されることができず、他の各段は依然として改良されることができない。そして、多段遠心式圧縮機は、いずれか一段にてサージが発生したら、機械全体の正常動作を妨害し、遠心式圧縮機に大きな損害を招き、遠心式圧縮機の性能が明らかに劣化し、騒音が大きくなり、ユニット全体の振動が一段と激しくなり、遠心式圧縮機の動作の信頼性をひどく影響することになる。
【発明の概要】
【発明が解決しようとする課題】
【０００３】
本発明は、遠心式圧縮機の多段圧縮ユニットのうちいずれか一段にてサージが発生する確率を低下させるために、遠心式圧縮機及びそれを備えた遠心機ユニットを提供することをその目的とする。
【課題を解決するための手段】
【０００４】
上記目的を達成するために、本発明によれば、順に連通される多段の圧縮ユニットを備える遠心式圧縮機であって、各段ごとの圧縮ユニットは、拡散チャンバと、拡散チャンバ調節装置であって、それに対応して設けられた拡散チャンバの流通面積を変更させるための、遠心式圧縮機の軸方向に移動可能に設けられる可動部材を含む拡散チャンバ調節装置と、を含む遠心式圧縮機が提供される。
【０００５】
さらに、各段ごとの拡散チャンバ調節装置は、可動部材に駆動連結される伝達ロッドと、拡散チャンバの腔壁に固定連結されるガイド構造であって、伝達ロッドがガイド構造に対して遠心式圧縮機の軸方向に移動可能に設けられるガイド構造と、をさらに含む。
【０００６】
さらに、各段ごとの拡散チャンバ調節装置は、自体における可動部材を、対応する拡散チャンバの流通面積が最大限になるように移動させるための復元機構、をさらに含む。
【０００７】
さらに、拡散チャンバは、第１腔壁と、第１腔壁と離間して設けられる第２腔壁とで囲まれてなり、ガイド構造は、伝達ロッドの外周に外挿されるブッシュを含み、ブッシュは、第１腔壁に開設された収容孔内に固定する。
【０００８】
さらに、復元機構は、伝達ロッドの端部に連結されるバッフルプレートと、ブッシュの外周に外挿されるバネであって、第１腔壁上の収容孔がブッシュとフィットする第１区分と、バネとフィットする第２区分とを有し、バネが、第１区分と第２区分とを接続する段差面と、バッフルプレートとの間に位置するバネとを含む。
【０００９】
さらに、可動部材は、遠心式圧縮機の軸線を中心とした円環を含み、第１腔壁上には、円環とフィットする凹溝が開設されており、収容孔は、凹溝の底部に設けられた伝達ロッドが通過するための開口を有する。
【００１０】
さらに、ブッシュの内周面上に収容溝が開設されており、ガイド構造は、収容溝内に設けられた伝達ロッドと滑合する支持ベルトをさらに含む。
【００１１】
さらに、ガイド構造は、伝達ロッドと同軸に設けられた少なくとも１つのガイドリングを含む。
【００１２】
さらに、復元機構は、伝動ロッドの端部に連結されるバッフルプレートと、伝達ロッド外に外挿されながら、バッフルプレートと該バッフルプレートに隣接するガイドリングとの間に設けられるバネと、を含む。
【００１３】
さらに、拡散チャンバは、収容孔が開設された第１腔壁と、第１腔壁と離間して設けられた第２腔壁とで囲まれてなり、少なくとも１つのガイドリングの外周面が収容孔の内周面に繋がる。
【００１４】
さらに、可動部材は、円環状であり、第１腔壁上には、可動部材とフィットする凹溝が開設されており、収容孔は、凹溝の底部に設けられた開口を有する。
【００１５】
さらに、遠心式圧縮機は、給気口と、給気口に設けられる複数の入口案内翼と、複数の入口案内翼に駆動連結される駆動装置と、それぞれ駆動装置に駆動連結されながら、複数の入口案内翼の１つごとに個別に駆動連結される複数の伝動軸であって、給気口に最も近い圧縮ユニットの伝動ロッドが伝動軸に伝動連結され、残った各段の圧縮ユニットの伝動ロッドが、それぞれそれより上位段の圧縮ユニットの可動部材に伝動連結される複数の伝動軸と、をさらに備える。
【００１６】
さらに、遠心式圧縮機は、１つの伝動軸に外挿されながら、１つの伝動ロッドに対応して設けられる少なくとも１つの駆動輪、をさらに備える。
【００１７】
さらに、駆動輪は、カム又は偏心軸受であり、駆動輪に対応する伝動ロッドの第１端は、駆動輪の外周面に当接し、駆動輪に対応する伝動ロッドの第２端は可動部材に連結される。
【００１８】
本発明の他の一形態によれば、上記遠心式圧縮機を備える遠心機ユニットがさらに提供される。
【発明の効果】
【００１９】
本発明の技術案を適用して、遠心式圧縮機は、順に連通される多段の圧縮ユニットを備え、各段ごとの圧縮ユニットは、拡散チャンバと、拡散チャンバ調節装置であって、それに対応して設けられた拡散チャンバの流通面積を変更させるための、遠心式圧縮機の軸方向に移動可能に設けられる可動部材を含む拡散チャンバ調節装置と、を含む。本発明の技術案を適用して、各段ごとの圧縮ユニットは、遠心式圧縮機の軸方向に移動可能に設けられる可動部材を含み、各段ごとの圧縮ユニットにおける可動部材により、該段の圧縮ユニットにおける拡散チャンバの流通面積を変更させ、サージの発生確率を効果的に低下させる。
【図面の簡単な説明】
【００２０】
本願の一部を構成する明細書図面は、本発明をさらに理解させるためのものであり、また、本発明における模式的実施例及びその説明は本発明を説明するものであり、本発明を不当に限定するものではない。図面において、
【図１】本発明実施例に係わる遠心式圧縮機の構造を示す図である。
【図２】図１におけるＡ箇所が拡大された構造を示す図である。
【図３】図１におけるＢ箇所が拡大された構造を示す図である。
【発明を実施するための形態】
【００２１】
なお、衝突しない限り、本願の実施例及び実施例中の構成要件を組み合わせることができる。以下、図面を参照しつつ実施例を結合して本発明を詳しく説明する。
【００２２】
図１に示すように、本発明実施例に係わる遠心式圧縮機は、順に連通される多段の圧縮ユニットを備え、各段ごとの圧縮ユニットは、拡散チャンバ１と、拡散チャンバ調節装置とを含む。拡散チャンバ調節装置は、それに対応して設けられた拡散チャンバ１の流通面積を変更させるための可動部材２１を含み、可動部材２１は、遠心式圧縮機の軸方向に移動可能に設けられる。
【００２３】
可動部材２１は、遠心式圧縮機の軸方向に沿って移動する中、拡散チャンバ１の流通面積を変更させる。運転負荷が低下する場合、拡散チャンバ１の流通面積を減少させることで気体流速を高め、そのうえ、圧縮機におけるサージの発生を効果的に防止することができる。
【００２４】
各段ごとの拡散チャンバ調節装置は、伝達ロッド２２と、ガイド構造とをさらに含む。伝達ロッド２２は、可動部材２１に駆動連結される。
【００２５】
本実施例において、可動部材２１は、伝達ロッド２２の一端に固定連結される。伝達ロッド２２は、可動部材２１を遠心式圧縮機の軸方向に沿って移動するように駆動する。
【００２６】
ガイド構造は、拡散チャンバ１の腔壁に固定連結され、伝達ロッド２２は、ガイド構造に対して遠心式圧縮機の軸方向に移動可能に設けられる。
【００２７】
ガイド構造は、伝達ロッド２２が拡散チャンバ１に対して遠心式圧縮機の軸方向に沿って移動するように保証するためのものである。さらに、ガイド構造により、伝達ロッド２２の移動中における摩擦力を低減し、拡散チャンバ調節装置の実用性を高め、拡散チャンバ調節装置を長寿命化する。さらに、拡散チャンバ調節装置の精度を効果的に向上させる。
【００２８】
各段ごとの拡散チャンバ調節装置は、自体における可動部材２１を、対応する拡散チャンバ１の流通面積が最大限になるように移動させるための復元機構２５、をさらに含む。
【００２９】
復元機構２５は、可動部材２１を、対応する拡散チャンバ１の流通面積が最大限になる位置へ移動させる力Ｆ１を提供する。運転負荷が低下する場合、伝達ロッド２２は、可動部材２１に拡散チャンバの流通面積を小さくする方向へ移動する力Ｆ２を与える。Ｆ２がＦ１よりも大きい場合、可動部材２１は、拡散チャンバの流通面積を小さくする方向へ移動する。
【００３０】
図２に示すように、本実施例において、拡散チャンバ１は、第１腔壁と、第１腔壁と離間して設けられた第２腔壁とを含み、ガイド構造は、伝達ロッド２２の外周に外挿されるブッシュ２３を含み、ブッシュ２３は、第１腔壁に開設された収容孔内に固定する。
【００３１】
復元機構２５は、バッフルプレート２５１と、バネ２５２とを含む。バッフルプレート２５１は、伝達ロッド２２に連結されながら、伝達ロッド２２の径方向に沿って伝達ロッド２２から離れる方向へ延在する。バッフルプレート２５１は、伝達ロッド２２の端部に連結される。
【００３２】
バネ２５２は、ブッシュ２３の外周に外挿され、第１腔壁上の収容孔は、ブッシュ２３とフィットする第１区分と、バネ２５２とフィットする第２区分とを含み、バネ２５２は、第１区分と第２区分とを接続する段差面と、バッフルプレート２５１との間に位置する。
【００３３】
ブッシュ２３の内周面上に収容溝が開設されており、ガイド構造は、収容溝内に設けられた支持ベルト２６をさらに含み、支持ベルト２６は、伝達ロッド２２と滑合する。
【００３４】
収容溝は、ブッシュ２３の内周面上に開設された伝達ロッド２２と同軸になる環状溝である。収容溝内に設けられた支持ベルト２６は、収容溝とフィットする環状である。支持ベルト２６の内面がブッシュ２３の内面よりも高い。このため、伝達ロッド２２が軸方向に沿って移動する中、支持ベルトの内面のみに接する。支持ベルト２６の内面は、滑らかな表面であり、伝達ロッド２２の移動中の摩擦力を効果的に低減する。
【００３５】
運転負荷が増大する場合、バネ２５２は、可動部材２１を、拡散チャンバの流通面積を大きくする方向へ移動するように駆動する。これにより、遠心式圧縮機の作業効率を向上させる。
【００３６】
可動部材２１は、遠心式圧縮機の軸線を中心とした円環を含み、第１腔壁上には、円環とフィットする凹溝が開設されており、収容孔は、凹溝の底部に設けられた伝達ロッド２２が通過するための開口を有する。
【００３７】
可動部材２１全体が凹溝内にある場合、拡散チャンバ１の流通面積が最大限になる。伝達ロッド２２は、可動部材２１を、遠心式圧縮機の軸方向に沿って第２腔壁へ移動するように駆動する中、拡散チャンバ１の流通面積を次第に小さくする。
【００３８】
さらに、図３に示すように、ガイド構造は、伝達ロッド２２と同軸に設けられた少なくとも１つのガイドリング２４を含むことが好ましい。復元機構２５は、バッフルプレート２５１と、バネ２５２とを含む。バッフルプレート２５１は、伝達ロッド２２の端部に連結され、バネ２５２は、伝達ロッド２２外に外挿されながら、バッフルプレート２５１と該バッフルプレート２５１に隣接するガイドリング２４との間に設けられる。
【００３９】
拡散チャンバ１は、第１腔壁と、第１腔壁と離間して設けられた第２腔壁とで囲まれてなり、第１腔壁上に収容孔が開設されており、少なくとも１つのガイドリング２４の外周面が収容孔の内周面に繋がる。
【００４０】
本実施例において、復元機構は、ガイドリング２４を１つ含む。該ガイドリングは、収容孔の第２腔壁に近接する一端に設けられる。バネ２５２は、伝達ロッド２２上に外挿されながら、ガイドリング２４とバッフルプレート２５１との間に位置する。
【００４１】
ガイドリング２４により、伝達ロッドの移動中の摩擦力が低減される。伝達ロッド２２の移動のために経路を提供している。可動部材２１の移動精度を保証する。
【００４２】
可動部材２１は円環状であり、第１腔壁上には、可動部材２１とフィットする凹溝が開設されており、収容孔は、凹溝の底部に設けられた開口を有する。
【００４３】
可動部材２１全体が凹溝内にある場合、拡散チャンバ１の流通面積が最大限になる。伝達ロッド２２は、可動部材２１を、遠心式圧縮機の軸方向に沿って第２腔壁へ移動するように駆動する中、拡散チャンバ１の流通面積を次第に小さくする。
【００４４】
運転負荷が増大する場合、バネ２５２は、可動部材２１を、拡散チャンバの流通面積を大きくする方向へ移動するように駆動する。これにより、遠心式圧縮機の作業効率を向上させる。
【００４５】
運転負荷が低下する場合、伝達ロッド２２は、可動部材２１を、拡散チャンバの流通面積を小さくする方向へ移動するように駆動するため、拡散チャンバ１の流通面積を減少させることで気体流速を高め、そのうえ、遠心式圧縮機におけるサージの発生を効果的に防止する。
【００４６】
遠心式圧縮機は、駆動装置と、給気口と、複数の入口案内翼３と、複数の伝動軸と、をさらに備える。入口案内翼３は、給気口に設けられる。駆動装置は、複数の入口案内翼３に駆動連結される。
【００４７】
複数の伝動軸４は、それぞれ駆動装置に駆動連結されながら、複数の入口案内翼３の１つごとに個別に駆動連結され、給気口に最も近い圧縮ユニットの伝動ロッド２２は伝動軸４に伝動連結され、残った各段の圧縮ユニットの伝動ロッド２２は、それぞれそれより上位段の圧縮ユニットの可動部材２１に伝動連結される。
【００４８】
複数の入口案内翼３は、給気口に対して、伝動軸４の軸方向回りで伝動軸の回動に伴って回動する。複数の入口案内翼３の回転によって、遠心式圧縮機の給気口の給気量を変えたうえで、遠心式圧縮機の運転負荷を変更させる。
【００４９】
遠心式圧縮機は、少なくとも１つの駆動輪５をさらに備え、駆動輪５は、１つの伝動軸４に外挿されながら、１つの伝動ロッド２２に対応して設けられる。
【００５０】
駆動輪５は、カム又は偏心軸受であり、駆動輪５に対応する伝動ロッド２２の第１端は、駆動輪５の外周面に当接し、駆動輪５に対応する伝動ロッド２２の第２端は可動部材２１に連結される。
【００５１】
入口案内翼３が遠心式圧縮機の給気量を小さくする方向に回動する中、駆動輪が回動するとともに、駆動輪の伝動ロッド２２に当接する点と、伝動軸４の軸心との距離が次第に大きくなり、駆動輪は、伝動ロッド２２を介して、可動部材２１を、拡散チャンバ１の流通面積を小さくする方向へ移動するように駆動する。
【００５２】
入口案内翼３が遠心式圧縮機の給気量を大きくする方向に回動する中、駆動輪が回動するとともに、駆動輪の伝動ロッド２２に当接する点と、伝動軸４の軸心との距離が次第に小さくなり、伝動ロッド２２は、バネ２５２に駆動されて、可動部材２１を、拡散チャンバ１の径方向流通面積を大きくする方向へ移動するように連動する。
【００５３】
本発明の他の一形態によれば、本実施例にて、上記遠心式圧縮機を備える遠心機ユニットがさら提供される。
【００５４】
以上は、本発明の好適な実施例に過ぎず、本発明を限定することは意図していない。当業者であれば、本発明に様々な変更や変形が可能である。本発明の思想や原則内の如何なる修正、均等の置き換え、改良なども、本発明の保護範囲内に含まれるべきである。
【符号の説明】
【００５５】
１…拡散チャンバ、２１…可動部材、２２…伝動ロッド、２３…ブッシュ、２４…ガイドリング、２５…復元機構、２６…支持ベルト、２５１…バッフルプレート、２５２…バネ、３…入口案内翼、４…伝動軸、５…駆動輪。
【図１】
0006475749.tif 000002
【図２】
0006475749.tif 000003
【図３】
0006475749.tif 000004